(57)【特許請求の範囲】
【請求項１】
所望枚数の連結パネルが折り畳み収納される箱体を少なくとも底面と前面を開放し、前面に扉を設けて形成し、この箱体の底枠部分にキャスターを装着し、連結パネルの底端にキャスターを装着し、連結パネルの一側端を箱体の一側面内側の奥部に枢着させ、上記扉は箱体の他側面前端部に枢着すると共に、扉の開放端側の所定巾部分を箱内方に折り込み可能に枢着した内折れ部として形成し、連結パネルを前方に引き出した状態における箱体前面の開放部分を、内折れ部を内折れさせた主扉で閉塞可能とした構成を有する間仕切り装置。
【請求項２】
底端の一側端寄りと他側端寄りに端から異なる距離をもってキャスターを装着したパネル複数枚を、パネルの上記一側端と他側端とを回転自在に対向させて連結してなる構成を有する間仕切りパネル。
【発明の詳細な説明】
【０００１】
【発明の属する技術分野】
本発明は、連結パネルを有した間仕切り装置及び間仕切りパネルに関する。
【０００２】
【従来の技術と解決課題】
従来の間仕切りパネルは、床及び天井に設けたガイドレール上を移動できるようにしてあり、不使用時は室内壁の隅部に閉じ合わせて置くか、壁部に設けてある戸袋状の収納部に引き込み収納していた。
このような構成では、床及び天井にガイドレールを固定しなければならず、移動路が特定、限定され、移動路に当たる室内部分には物の定置ができない等の使用上の制約を受け、しかも間仕切りパネルが移動するかなりの広面積の範囲の使用が制約を受けていた。
本発明は、このような問題点に着眼し、間仕切りパネルの収納部を移動可能とし、しかも間仕切りパネルをこの収納部に収納しやすくすると共に、移動しやすくして、室内の所望の場所に設置できるようにした間仕切り装置及び間仕切りパネルを提供せんとするものである。
【０００３】
【課題を解決するための手段】
上記課題を解決するために、本発明は、所望枚数の連結パネルが折り畳み収納される箱体を少なくとも底面と前面を開放し、前面に扉を設けて形成し、この箱体の底枠部分にキャスターを装着し、連結パネルの底端にキャスターを装着し、連結パネルの一側端を箱体の一側面内側の奥部に枢着させ、上記扉は箱体の他側面前端部に枢着すると共に、扉の開放端側の所定巾部分を箱内方に折り込み可能に枢着した内折れ部として形成し、連結パネルを前方に引き出した状態における箱体前面の開放部分を、内折れ部を内折れさせた主扉で閉塞可能として間仕切り装置を構成したことを特徴としている。
【０００４】
連結パネルは、パネル底端に装着するキャスターが、連結パネルを折り畳んだ状態において互いに干渉し合わない位置に設置された構成とするのが好ましい。上記キャスターの非干渉は、底端の一側端寄りと他側端寄りに端から異なる距離をもってキャスターを装着したパネル複数枚を、パネルの上記一側端と他側端とを回転自在に連結した構成としてなすこともできる。
【０００５】
パネルは、枠体内に着脱可能に化粧板体を装着した構成とすることができる。
化粧板体は、木目柄の板体、柄物の板体、透明乃至半透明ガラス乃至プラスチック等の板体、脱臭機能を持たせた板体等の板体を、単体或いは表裏重合体として用いることができ、また、脱臭機能を持たせた脱臭板体の両面に通気孔を設けた板体を合わせた重合板体を枠体内に離脱可能に装着した構成とすることもできる。
【０００６】
【発明の実施の形態】
以下、本発明を一実施例として示した図面によって説明する。
図１は本発明に係る間仕切り装置を分解状態で示した斜視略図、図２は支持杆を突出状態で示した間仕切り装置の斜視略図、図３，４はパネル折り畳み状態のキャスター位置を説明する上面略図、図５は枠体内に着脱自在に板体を設けた間仕切り装置の斜視略図である。
【０００７】
１は、連結パネル２を折り畳み収納可能な箱体であって、左右側面１ａ，１ｂ及び背面１ｃと天面１ｄとを有して形成し、その底端に取り付ける底枠３に少なくとも４個のキャスター４を装着し、右側面１ｂの前端に蝶番５を介して扉６を装着してある。
連結パネル２は、互いに回転可能に連結した複数枚のパネル２Ａからなっており、底端にキャスター７を装着してあり、連結パネル２の一側端を、箱体内の背面１ｃの左側面１ａ寄り部位に蝶番８（図示例は一側端の略上下端に至る長蝶番）を介して連結してある。
上記箱体１と連結パネル２は、連結パネル２が折り畳み状態において箱体１内に納まり、直列状態において箱体１内の右側面内側付近から箱外方に延設されるように設定してあり、扉６は、主扉６ａと扉開放端側に所定巾をもって箱内方に折り込み可能に枢着した内折れ部６ｂとで構成し、連結パネル収納状態において、主扉６ａと内折れ部６ｂとを同面に延ばした扉６で箱体前面を閉塞するようにし、連結パネル引き出し状態においては、残された箱体前面の開放部分を、内折れ部６ｂを箱内に内折れさせた主扉６ａによって閉塞するように形成してある。
【０００８】
上記構成の間仕切り装置は、連結パネル２をキャスター７を利用して折り合わせ、引き延ばすだけで収納、設置が自在にでき、連結パネル２を収納した箱体１はキャスター４，７を利用して自由に移動でき、所望の場所に設置し、或いは収納しておくことができる。扉６は連結パネル２の収納時と引き出し時のいずれに箱体前面を閉塞し外観を良好に維持する。
【０００９】
図２は、箱体１を所望の場所に置いて定置させ得るようにした構成を示したものである。
左右側面１ａ，１ｂの少なくとも一方の内側、図では両側面内側に、支持杆９を設置してある。この支持杆９は、箱内中間部に昇降機構９ａ、例えば、箱外側から差し込んだ回転ハンドル９ｂにより回転するボルトの回転を受けて、上下方向に離反し或いは接近する駆動片を連設した昇降機構を配設し、この昇降機構９ａの上下方向に棒体９ｃを延設し、上方の棒体９ｃの上端に箱体の天面１ｄを貫通して天面上方に出没でき、室内の天井面に圧接可能な固定部９ｄを連設し、下方の棒体９ｃの下端に箱体の下方に出没でき、室内の床面に圧接可能な固定部９ｅを連設した構成としてある。この支持杆９は、箱体１内に収納した連結パネル２と左右側面１ａ，１ｂとの間の間隙に配設するようにしてあり、その周面は囲い面で見えないように設置しておくことができる。
また、連結パネル２の適宜箇所において、パネル上端と天井面との間に圧接可能な伸縮棒１０を設置してある。
この支持杆９、伸縮棒１０により、移動自在を間仕切り装置を動かないように定置させることができる。
【００１０】
連結パネル２は、パネル面が互いに接触状態で折り畳めるのが望ましく、そのためにパネルの肉厚分よりも突出してぶつかり合うおそれのあるキャスター７を、図３，４に示す如く、非干渉状態に配設するのがよい。
図３では、キャスター７を一枚のパネル２Ａの両側寄りの底端にそれぞれ設置する際に、一側端寄りと他側端寄りにそれぞれ端から異なる距離をもってキャスター７，７がずれ合って位置するように装着し、このパネル複数枚を、パネル２Ａの一側端と隣接パネル２Ａの他側端とを回転自在に対向させて連結し、連結パネル２を構成してある。
折り畳んだ連結パネル２は、パネル一枚置きにキャスター７が整列し、ぶつかり合うことがなく、パネル面を重ね合わせることができる。連結パネル２の回転・移動或いはパネル２Ａの回転・移動は、各パネル２Ａにキャスター７が装着されているので、円滑かつ自在に可能である。キャスター７は回転軸となるパネル側端に近接すると方向転換がきつくなり、その分動きが制約され得るが、内方に位置させた他方のキャスター７が一層の円滑な回転に寄与する。キャスターのストッパーは少なくともパネル側端から遠い方のキャスターに装着して置くだけでもよい。
【００１１】
図４では、キャスター７を一枚のパネル２Ａの中央から一側端寄りの底端にのみ設置し、このパネル複数枚を、パネル２Ａのキャスター装着側端と隣接パネル２Ａのキャスター非装着側端とを回転自在に対向させて連結し、連結パネル２を構成してある。この構成によっても、パネル一枚置きにキャスター７が整列してぶつかり合うことがなく、連結パネル２、パネル２Ａの回転・移動を円滑かつ自在に行え、折り畳んでパネル面を重ね合わせることができる。
【００１２】
連結するパネル２Ａはそれぞれ、図５に示す如く、パネルの枠体２１内に化粧板体２２を着脱可能に固着できる構成とすることができ、枠体のみを間仕切りパネルとして使用することもできる。化粧板体２２は、単板乃至重合板のいずれとすることもでき、例えば、図５（Ａ）の如く木目柄或いは柄物を表した板体２２ａ、透明、半透明のガラスやプラスチック等の板体２２ｂ、或いはこれらの重合体、さらには同（Ｂ）の如く脱臭材を付着乃至混合させた脱臭板体２２ｃの単板、脱臭板体２２ｃの両面に、小通気孔を多数形成した通気性板体２２ｄを合わせた重合板、その他の適宜構成とすることができる。
このようなパネル構成とすることにより、間仕切りパネルに多様な装飾性を付与することができ、化粧板体２２を入れ替えることにより、同じ間仕切り装置の外観にデザインの変化性を与えることができる。
【００１３】
【発明の効果】
以上のようにして、本発明によれば、床や天井へのガイドレール設置を不要とし、収納部の固定設置を不要とし、所望の場所に収納でき、所望の位置を間仕切ることのできる間仕切り装置を提供することができる。つまり、連結パネルは箱体内に折り畳んで収納でき、収納状態の間仕切り装置をそのままキャスター移動して所望の場所に収納でき、また、所望の間仕切り場所に間仕切り装置を簡単にキャスター移動して、連結パネルをキャスターを利用して簡単に展開し、所望の間仕切りを形成することができる。
連結パネルを箱体の背面内側に枢着させることにより、連結パネルの収納・展開が効率的となり、扉を設けておくことにより箱体が室内外観を損なわせることがなく、主扉と内折れ部とにより扉を構成しておけば連結パネルの収納時、引き出し時のいずれでも前面の閉塞を可能とする。
支持杆を装着しておくことにより、移動自在な間仕切り装置を所望位置において定置させることができ、間仕切りの安定性を高め得る。
キャスターの配置を特定の配置とすれば、パネル折り畳み時のキャスター同士の干渉が生じないので、連結パネルの収納・展開を一層円滑なものとする。
上記構成の間仕切り装置は、枠体内に着脱自在に化粧板体を装着したパネルを用いれば、間仕切り装置の装飾性を一層高めることができる。
【図面の簡単な説明】
【図１】本発明に係る間仕切り装置を分解状態で示した斜視略図である。
【図２】支持杆を突出状態で示した本発明に係る間仕切り装置の斜視略図である。
【図３】パネル折り畳み状態のキャスター位置を説明する連結パネル上面略図である。
【図４】図３の別の実施例である。
【図５】枠体内に着脱自在に板体を設けたパネルを用いた間仕切り装置の斜視略図である。
【符号の説明】
１      箱体
１ａ，１ｂ  左右側面
１ｃ    背面
１ｄ    天面
２      連結パネル
２Ａ    パネル
３      底枠
４，７      キャスター
５，８      蝶番
６      扉
６ａ    主扉
６ｂ    内折れ部
９      支持杆
９ａ    昇降機構
９ｂ    ハンドル
９ｃ    棒体
９ｄ，９ｅ  固定部
１０      伸縮棒
【図１】
0003857015.tif 000002
【図２】
0003857015.tif 000003
【図３】
0003857015.tif 000004
【図４】
0003857015.tif 000005
【図５】
0003857015.tif 000006